(57)【要約】      （修正有）【課題】振動発生源を有する分析装置において、振動によってケーブルコネクタとケーブル接続用コネクタとの接続状態が不安定になることを防止する。【解決手段】分析装置は、筐体内部に回路基板７１０と、回路基板に固定されたケーブル接続用コネクタ７１１と、ケーブル接続用コネクタに接続されるケーブルコネクタ７３０を保持する保持具７４０を備える。保持具は、筐体枠部７０２に固定された板状の取付片、取付片に垂直な板状の保持片７５１を有し、保持片に所定の間隔をおいて配置された２個の保持用孔を有する保持部材７５０と、保持片に対応する形状を有し、２個の保持用孔に対応する２個の固定用孔を有する固定板７６０と、２個の保持用孔と２個の固定用孔にそれぞれ挿通され、固定板を保持片に取り付けるための２個の締結部材７７０とを有する。【選択図】図３Ａ
0003220103.tif 000002
【実用新案登録請求の範囲】
【請求項１】
内部に回路基板を有する筐体と、
前記回路基板に固定されたケーブル接続用コネクタと、
前記ケーブル接続用コネクタに接続されるケーブルコネクタを保持するための保持具であって、
前記筐体に固定された板状の取付片と、該取付片に垂直な板状の保持片とを有し、該保持片に所定の間隔をおいて配置された２個の保持用孔を有する保持部材と、
前記保持片に対応する形状を有し、前記２個の保持用孔に対応する２個の固定用孔を有する固定板と、
前記２個の保持用孔と前記２個の固定用孔にそれぞれ挿通され、前記固定板を前記保持片に取り付けるための２個の固定板用締結部材と
を有する保持具と、
前記筐体内に収容された、運転時に振動する振動発生源と
を備える、分析装置。
【請求項２】
前記取付片が、前記保持部材を前記筐体にねじにより固定するための長円状のねじ孔を有している、請求項１に記載の分析装置。
【請求項３】
前記回路基板が、前記筐体内に固定された取付板に取り付けられており、
前記取付板に前記保持具が固定されている、請求項１又は２に記載の分析装置。
【考案の詳細な説明】
【技術分野】
【０００１】
本考案は、分析装置に関する。
【背景技術】
【０００２】
火力発電所や産業廃棄物の焼却処理場等の施設では、燃焼により大量のガス（排ガス）が生じる。前記排ガスには、法令により大気中への排出量が規制されている特定の物質が含まれていることが多いため、排出装置によって前記排ガスを適切に処理した後、施設外に排出している。特定物質とは、例えば一酸化炭素（ＣＯ）、炭化水素（ＨＣ）、窒素酸化物（ＮＯｘ）、及び硫黄酸化物（ＳＯｘ）等の大気汚染物質である。そのため、前記排出装置には、通常、その排ガスに含まれる特定の成分の量を測定するためのガス分析装置が備えられている。
【０００３】
ガス分析装置には、施設に固定的に設置（常設）される大型のものと、持ち運び可能な小型のものがある。小型のガス分析装置は、排ガスの排出量が比較的少ない場合や、排ガスの分析を日常的に行う必要のない施設で使用される他、施設に常設されている大型のガス分析装置が故障したときの代替装置としても利用される。
【０００４】
前記ガス分析装置は、排ガス中の水分や粉塵を取り除くための処理を行う前処理部及び排ガス中の成分濃度を測定するためのガス分析部と、これら前処理部及びガス分析部に排ガスを導入するための吸引ポンプを備えており、これら前処理部及びガス分析部並びに吸引ポンプが一つの筐体内に収容された構成を有している。
【０００５】
吸引ポンプは運転中に振動を発生する。そのため、その振動が他の部品に及ばないように、通常は、吸引ポンプは他の部品とできるだけ離間させた状態で筐体内に収容される。ところが、小型のガス分析装置は筐体内の収容スペースが小さいため、吸引ポンプを他の部品から離間させることが難しい。
【０００６】
前処理部及びガス分析部は、前処理やガス分析の動作を制御したり外部機器との通信を制御したりするための電気・電子回路が搭載された回路基板を備えている。回路基板には、信号ケーブル、電源ケーブル、通信ケーブル等のコネクタ（ケーブルコネクタ）を接続するためのケーブル接続用コネクタが取り付けられている。これらのケーブル接続用コネクタは、回路基板又は該回路基板が取り付けられている取付板に固定され、ケーブルコネクタの外形状に対応する筒状の保持部を有する。ケーブルコネクタをこの保持部に挿入することで、ケーブル接続用コネクタとケーブルコネクタとが安定的に接続される。
【先行技術文献】
【特許文献】
【０００７】
【特許文献１】特開平11-101745号公報
【考案の概要】
【考案が解決しようとする課題】
【０００８】
市販されている信号ケーブル、電源ケーブル、通信ケーブル等の様々なケーブルコネクタは、同種のケーブルであってもそのサイズは統一されておらず、製造会社によってサイズが少しずつ異なる。そこで、様々なサイズのケーブルコネクタに対応可能なように、大きいサイズのケーブルコネクタの外形状に合わせて保持部の内形状が形成されている。従って、ケーブルコネクタによっては、保持部に挿入されたときに両者の間に隙間が存在する。このため、吸引ポンプにおいて発生する振動が回路基板や取付板に伝わったときに、保持部内でケーブルコネクタが動いてしまい、ケーブルコネクタとケーブル接続用コネクタの接続が緩んだり、両者の接続部分が変形したりすることがあった。
【０００９】
本考案が解決しようとする課題は、運転時に振動発生源によって生じる振動によってケーブルコネクタとケーブル接続用コネクタとの接続状態が不安定になることを防止することである。
【課題を解決するための手段】
【００１０】
上記課題を解決するために成された本考案に係る分析装置は、
内部に回路基板を有する筐体と、
前記回路基板に固定されたケーブル接続用コネクタと、
前記ケーブル接続用コネクタに接続されるケーブルコネクタを保持するための保持具であって、
前記筐体に固定された板状の取付片と、該取付片に垂直な板状の保持片とを有し、該保持片に所定の間隔をおいて配置された２個の保持用孔を有する保持部材と、
前記保持片に対応する形状を有し、前記２個の保持用孔に対応する２個の固定用孔を有する固定板と、
前記２個の保持用孔と前記２個の固定用孔にそれぞれ挿通され、前記固定板を前記保持片に取り付けるための２個の固定板用締結部材と
を有する保持具と、
前記筐体内に収容された、運転時に振動する振動発生源と
を備える。
【考案の効果】
【００１１】
本考案に係る分析装置では、ケーブル接続用コネクタにケーブルコネクタを接続する際は、保持部材の保持片の２個の保持用孔の間にケーブルコネクタを配置し、その上に固定板を載せる。そして、固定板の固定用孔と保持片の保持用孔を合致させ、固定用孔と保持用孔に保持片用締結部材を挿通して締結する。これにより、固定板が保持片に固定されると同時に固定板と保持片の間にケーブルコネクタが挟持される。その後、ケーブルコネクタをケーブル接続用コネクタに接続するとともに、保持部材の取付片を筐体に固定する。この場合、保持部材の取付片は筐体に直接的に固定しても良く、筐体に固定された部材に固定することで間接的に筐体に固定しても良い。このため、ケーブルコネクタは、固定板と保持片の間に強く保持された状態で、ケーブル接続用コネクタに接続される。従って、振動発生源の振動が保持具に伝わった場合でも、ケーブルコネクタとケーブル接続用コネクタとの接続状態が不安定になることが防止される。
【００１２】
また、保持部材の保持片に対して取付片が垂直であるため、保持片及び取付片の少なくとも一方は、振動発生源による振動の方向と交差する。このため、保持片に対する固定板の固定、及び取付片の筐体への固定の両方に振動発生源による振動の影響が及ぶことがなく、この点からも、ケーブルコネクタとケーブル接続用コネクタとの接続状態が不安定になることが防止される
【図面の簡単な説明】
【００１３】
【図１】本考案の一実施例に係るガス分析装置の正面図。
【図２】ガス分析装置を右側方から見て示す内部構造の概略図。
【図３Ａ】保持具周辺部分を拡大して示す側面図。
【図３Ｂ】保持具周辺部分を拡大して示す後面図。
【図４】保持部材の斜視図
【考案を実施するための形態】
【００１４】
本考案に係る分析装置をガス分析装置（ガス濃度測定装置）に適用した一実施例について図面を参照して説明する。本実施例に係るガス分析装置１は、火力発電所や産業廃棄物の焼却施設等、様々な施設に持ち運んで使用される可搬式の装置である。図１に示すように、ガス分析装置１は、矩形箱状の筐体１０と、その前部開口を塞ぐ扉１１と、筐体１０の上面に設けられた埋め込み式の把持部２０とを備えている。扉１１の上半部にはディスプレイ３０１を有する表示パネル３０が設けられ、扉１１の中央部には複数の操作ダイヤル４０１及び操作スイッチ４０２を有する操作部４０が設けられている。また、扉１１の下部の左側には、筐体１０内に試料ガスを取り込むためのガス導入口５０が形成されている。前記ガス導入口５０には、例えば火力発電所等の施設が備えるガス排出装置に接続された排ガス採取用のパイプライン（図示せず）が接続される。
【００１５】
図２は、ガス分析装置１の筐体１０内の構造を概略的に示している。筐体１０内には、前処理部６０、ガス分析部７０、及び２個の吸引ポンプ８０、８１が収容されている。吸引ポンプ８０、８１は筐体１０内の底部に固定されている。一方の吸引ポンプ８０によって、パイプラインを通じて排ガスの一部がガス導入口５０から筐体１０内に取り込まれた後、前処理部６０に送られ、他方の吸引ポンプ８１によって前処理部６０に送られた排ガスがガス分析部７０に送られる。
【００１６】
詳しい図示及び説明は省略するが、前処理部６０は、ドレンセパレータ、クーラー、フィルタ、ヒータ等を備えており、ガス導入口５０から導入された排ガス（以下、「試料ガス」とする）に含まれる水分や固体粒子（塵埃）を取り除く処理を行う。また、ガス分析部７０は、前処理部６０で処理された後の試料ガスに含まれる所定の成分の濃度を測定するための１ないし複数種類のガス分析計（図示せず）を備えている。
【００１７】
さらに、ガス分析部７０は、ガス分析計の動作を制御したり、該ガス分析計の出力信号を処理したりするための電気・電子回路が搭載された制御用基板、外部機器との通信を制御するための電気・電子回路が搭載された通信用基板等の回路基板を備えている。本考案は、前記回路基板に信号ケーブル、電源ケーブル、通信ケーブル等のコネクタ（ケーブルコネクタ）を接続する部分の構造に特徴を有している。以下、回路基板とケーブルコネクタとの接続構造について説明する。
【００１８】
筐体１０内の上半部の左右方向中央部には、前後に延びる矩形状の固定用板金７０１（本考案の取付板に相当）が配置されている。固定用板金７０１の周囲部には右方に向けて垂直に立ち上がる枠部７０２が形成されている。固定用板金７０１は枠部７０２を介して筐体１０の後壁部に固定されている。固定用板金７０１には複数の回路基板が固定されており、そのうちの一つである回路基板７１０は固定用板金７０１の右側面の前上部に、スペーサ７２０（図３Ｂ参照）を介して固定されている。
【００１９】
回路基板７１０の右側面の後部の上端部にはケーブル接続用コネクタ７１１が取り付けられている。また、固定用板金７０１の枠部７０２のうち前記ケーブル接続用コネクタ７１１の直ぐ上に位置する箇所（以下、取付箇所７０２Ａという）には保持具７４０が固定されている。上記ケーブル接続用コネクタ７１１には、保持具７４０に保持された状態にあるケーブルコネクタ７３０が接続される。
【００２０】
図３Ａ及び図３Ｂは、保持具７４０の周辺部分を拡大して示す図である。これらの図に示すように、保持具７４０は、断面Ｌ字状の保持部材７５０、長方形状の固定板７６０、複数本のねじ７７０、ナット７７１等から構成されている。ねじ７７０及びナット７７１は本考案の締結部材に相当する。
【００２１】
図４に示すように、保持部材７５０は、長方形状の保持片７５１と、該保持片７５１に延設された、該保持片７５１と垂直な長方形状の取付片７５５とを有している。保持片７５１には２個の円形状の保持用孔７５２が形成されており、取付片７５５には２個のねじ孔である長孔７５６が形成されている。固定板７６０には、前記保持用孔７５２と対応する位置及び形状の固定用孔７６１が形成されている。保持片７５１の取付片７５５側の面（以下、この面を内側の面とし、これと反対側の面を外側の面とする）のうち２個の保持用孔７５２が形成されている箇所には、それぞれナット７７１が固定されている。また、固定用板金７０１の枠部７０２の取付箇所７０２Ａには、前記取付片７５５の２個の長孔７５６に対応する２個の円孔７０３が形成されている。
【００２２】
次に、ケーブルコネクタ７３０をケーブル接続用コネクタ１１１に接続する手順を説明する。
まず、保持片７５１の外側の面の２個の保持用孔７５２の間にケーブルコネクタ７３０を配置し、保持用孔７５２と固定板７６０の固定用孔７６１が合致するようにして固定板７６０をケーブルコネクタ７３０の上に載せる。そして、固定用孔７６１、保持用孔７５２、及びナット７７１にねじ７７０を挿通する。これにより、保持片７５１と固定板７６０との間にケーブルコネクタ７３０が挟持される。なお、固定用孔７６１、保持用孔７５２、及びナット７７１に挿通されるねじ７７０、或いは挿通された後のねじ７７０には、緩み止め接着剤が塗布されていても良い。
【００２３】
続いて、保持部材７５０の取付片７５５を、固定用板金７０１の枠部７０２の取付箇所７０２Ａの上に置く。このとき、ケーブルコネクタ７３０とケーブル接続用コネクタ１１１が上下に並び、両者が適切な状態で接続されるように、取付箇所７０２Ａの円孔７０３に対する取付片７５５の長孔７５６の位置を調整する。そして、ケーブルコネクタ７３０をケーブル接続用コネクタ１１１に接続した上で、長孔７５６及び円孔７０３にねじ７７０を挿通し、ナット７７１で締め付ける。これにより、保持部材７５０が固定用板金７０１の枠部７０２に固定される。
【００２４】
以上により、ケーブルコネクタ７３０は保持具７４０に保持された状態で、ケーブルコネクタ７３０がケーブル接続用コネクタ７１１に接続される。なお、上記の手順では、ケーブルコネクタ７３０を保持片７５１と固定板７６０の間に挟持してから、取付片７５５を固定用板金７０１の枠部７０２の取付箇所７０２Ａに取り付けたが、逆でも良い。
【００２５】
上記ガス分析装置１では、吸引ポンプ８０、８１の運転中は該ポンプ８０、８１によって生じる上下方向の振動が筐体１０を介して固定用板金７０１に伝わり、更に、固定用板金７０１から回路基板７１０に伝わる。このとき、ケーブルコネクタ７３０が保持具７４０の保持片７５１と固定板７６０の間に挟持されているため、吸引ポンプ８０、８１からの振動が保持具７４０に伝わっても、ケーブルコネクタ７３０が保持片７５１と固定板７６０の間から外れることがない。
【００２６】
また、本実施例では、断面Ｌ字状の保持部材７５０の取付片７５５を固定用板金７０１の枠部７０２にねじ止めすることで、保持具７４０を筐体１０に固定した。取付片７５５及び枠部７０２はほぼ水平方向に延びており、吸引ポンプ８０、８１によって生じる振動の方向と交差する。従って、吸引ポンプ８０、８１による振動が、取付片７５５と枠部７０２の取り付け状態に及ぶ影響が少なく、枠部７０２から取付片７５５が外れることが防止される。
以上により、吸引ポンプ８０、８１による振動によって、ケーブルコネクタ７３０とケーブル接続用コネクタ７１１との接続状態が不安定になることが防止される。
【００２７】
また、本実施例では、保持部材７５０の取付片７５５を取付箇所に取り付けるためのねじ挿通孔を長孔７５６にした。従って、固定用板金７０１と回路基板７１０の離間距離や回路基板７１０の厚さが多少変化しても、ケーブルコネクタ７３０の保持位置を調整することができるため、ケーブルコネクタ７３０とケーブル接続用コネクタ７１１を適切に接続することができる。
【００２８】
上記実施例は一例であって、本考案の趣旨に沿って適宜に変更することができる。
例えば、上記実施例では、固定用板金７０１に保持具７４０を取り付けたが、回路基板７１０に保持具７４０を取り付けても良く、筐体１０に直接的に保持具７４０を取り付けても良い。
【００２９】
上記実施例では、保持部材７５０を固定用板金７０１の枠部７０２にねじ止めしたが、保持部材７５０及び固定用板金７０１の両方が金属製の場合は溶接により両者を固定しても良く、保持部材７５０及び固定用板金７０１の両方又は一方が合成樹脂製の場合は接着剤により両者を固定しても良い。
上記実施例では、運転時に振動する振動発生源として吸引ポンプ８０、８１を備えたガス分析装置を例に挙げて説明したが、例えばファンやモータなども振動発生源となり得る。従って、本考案はファンやモータを備える分析装置にも適用できる。
【００３０】
以上、図面を参照して本考案における種々の実施形態を詳細に説明したが、最後に、本考案の種々の態様について説明する。なお、以降に付した符号は理解を容易にするためのものであって、本考案の構成を限定するものではない。
【００３１】
本考案の第１態様の分析装置（１）は、
内部に回路基板（７１０）を有する筐体（１０）と、
前記回路基板（７１０）に固定されたケーブル接続用コネクタ（７１１）と、
前記ケーブル接続用コネクタ（７１１）に接続されるケーブルコネクタ（７３０）を保持するための保持具（７４０）であって、
前記筐体（１０）に固定された板状の取付片（７５５）と、該取付片（７５５）に垂直な板状の保持片（７５１）とを有し、該保持片（７５１）に所定の間隔をおいて配置された２個の保持用孔（７５２）を有する保持部材（７５０）と、
前記保持片（７５１）に対応する形状を有し、前記２個の保持用孔（７５２）に対応する２個の固定用孔（７６１）を有する固定板（７６０）と、
前記２個の保持用孔（７５２）と前記２個の固定用孔（７６１）にそれぞれ挿通され、前記固定板（７６０）を前記保持片（７５１）に取り付けるための２個の固定板用締結部材（７７０、７７１）と
を有する保持具（７４０）と、
前記筐体（１０）内に収容された、運転時に振動する振動発生源（８０、８１）と
を備える。
【００３２】
第１の態様の分析装置において、ケーブル接続用コネクタにケーブルコネクタを接続する際は、保持部材の保持片の２個の保持用孔の間にケーブルコネクタを配置し、その上に固定板を載せる。そして、固定板の固定用孔と保持片の保持用孔を合致させ、固定用孔と保持用孔に保持片用締結部材を挿通して締結する。これにより、固定板が保持片に固定されると同時に固定板と保持片の間にケーブルコネクタが挟持される。その後、ケーブルコネクタをケーブル接続用コネクタに接続するとともに、保持部材の取付片を筐体に固定する。この場合、保持部材の取付片は筐体に直接的に固定しても良く、筐体に固定された部材に固定することで間接的に筐体に固定しても良い。従って、ケーブルコネクタは、固定板と保持片の間に強く保持された状態で、ケーブル接続用コネクタに接続される。このため、振動発生源の振動が保持具に伝わった場合でも、ケーブルコネクタとケーブル接続用コネクタとの接続状態が不安定になることが防止される。また、保持部材の保持片に対して取付片が垂直であるため、保持片及び取付片の少なくとも一方は、振動発生源による振動の方向と交差する。このため、保持片に対する固定板の固定、及び取付片の筐体への固定の両方に振動発生源による振動の影響が及ぶことがなく、この点からも、ケーブルコネクタとケーブル接続用コネクタとの接続状態が不安定になることが防止される。
【００３３】
また、本考案の第２の態様の分析装置は、上記第１の態様の分析装置において、
前記取付片（７５５）が、前記保持部材（７５０）を前記筐体（１０）にねじ（７７０）により固定するための長円状のねじ孔（７５６）を有している。
【００３４】
第２の態様に係る分析装置では、ねじ孔が長円状であるため、ケーブル接続用コネクタの位置に応じて、筐体に対する保持部材の取付位置を調整することができる。
【００３５】
さらに、本考案の第３の態様の分析装置は、上記第１態様又は第２の態様の分析装置において、
前記回路基板（７１０）が、前記筐体（１０）内に固定された取付板（７０１）に取り付けられており、
前記取付板（７０１）に前記保持具（７４０）が固定されている。
【００３６】
第３の態様に係る分析装置では、ケーブル接続用コネクタが固定されている回路基板の近傍に保持具を固定することができるため、ケーブルコネクタとケーブル接続用コネクタの位置合わせを容易に行うことができる。
【符号の説明】
【００３７】
１…ガス分析装置
１０…筐体
５０…ガス導入口
６０…前処理部
７０…ガス分析部
７０１…固定用板金
７０２…枠部
７０３…円孔
７１０…回路基板
７１１…ケーブル接続用コネクタ
７３０…ケーブルコネクタ
７４０…保持具
７５０…保持部材
７５１…保持片
７５２…保持用孔
７５５…取付片
７５６…長孔
７６０…固定板
７６１…固定用孔
７７０…ねじ
７７１…ナット
８０…吸引ポンプ
８１…吸引ポンプ
【図１】
0003220103.tif 000003
【図２】
0003220103.tif 000004
【図３Ａ】
0003220103.tif 000005
【図３Ｂ】
0003220103.tif 000006
【図４】
0003220103.tif 000007